(57)【要約】【課題】大型のブラケットを不要とし、少ない工程で、短期間に、かつより安全なされるＰＣ橋における柱頭部施工方法の提供。【解決手段】先に構築されている橋脚上端の脚頭部上端面に、柱頭部１０の両側の初期張出部１３の下床版１４に埋設される高さ位置に型鋼材１７を固定し、該型鋼材に下床版１４を形成するための下床版形成用型枠を吊持ちさせ、下床版形成用型枠内に場所打ちコンクリートを打設して下床版１４を形成し、その下床版１４に支持させてウエブ形成用の型枠を組み、場所打ちコンクリートを打設して複数のウエブ１５を形成し、そのウエブ１５と下床版１４とに支持させて上床版１６を形成するための上床版形成用型枠を組み、場所打ちコンクリートを打設して上床版をウエブと一体化させた状態に形成する。【選択図】図１
2010037725.tif 000002
【特許請求の範囲】
【請求項１】
下床版と、該下床版から立ち上げた複数のウエブと、該ウエブの上側に支持させた上床版とをもって断面が箱形をした桁部を片持式に順次延長することによって構築されるＰＣ橋の構築に際し、前記桁部の基端部分を構成する初期張出部を一体に有する柱頭部を場所打ちコンクリートによって形成するＰＣ橋における柱頭部施工方法において、
先に構築されている橋脚上端の脚頭部上端面に、前記柱頭部の両初期張出部の下床版に埋設される高さ位置に型鋼材を固定し、
該型鋼材に前記下床版を形成するための下床版形成用型枠を吊持ちさせ、
該下床版形成用型枠内に場所打ちコンクリートを打設して前記下床版を形成し、
該下床版に支持させてウエブ形成用型枠を組み、該ウエブ形成用型枠に場所打ちコンクリートを打設して複数のウエブを形成し、
該ウエブと前記下床版とに支持させて前記上床版を形成するための上床版形成用型枠を組み、該上床版形成用型枠内に場所打ちコンクリートを打設して前記上床版を前記ウエブと一体化させた状態に形成することを特徴としてなるＰＣ橋における柱頭部施工方法。
【請求項２】
前記上床版の形成を、ウエブ間に跨る内側上床版部と、ウエブの橋桁幅方向外側に張出した張出上床版部とに分け、前記内側上床版部を先に形成する請求項１に記載のＰＣ橋における柱頭部施工方法。
【請求項３】
前記上床版形成用の型枠は、該上床版の橋桁幅方向側の張出部用型枠を前記ウエブの外面に支持させたブラケットに支持させる請求項１又は２の何れかに記載のＰＣ橋における柱頭部施工方法。
【発明の詳細な説明】
【技術分野】
【０００１】
本発明は、主として橋梁の片持架設工法、即ち、橋脚上端上に形成した柱頭部より橋桁を片持式に所定長さずつ延長させてＰＣ橋を架設する際に、片持式の橋桁の基端を構成する初期張出部を一体に備えた柱頭部を形成するＰＣ橋における柱頭部施工方法に関する。
【背景技術】
【０００２】
一般に、ＰＣ橋の張り出し架設工法では、橋脚の上端に橋桁の柱頭部を構築し、その柱頭部上に作業台車（以下ワーゲンと記す）を搭載し、このワーゲンから次に施工する張り出し桁部を形成するための型枠や足場を吊り下げ支持させ、このワーゲンを一張り出し区画の桁部を形成する毎に前進させて次の一張り出し区画を形成するようにしている。
【０００３】
この工法に使用するワーゲンは、通常全長が十数メートルあるため、柱頭部は、ワーゲンを搭載するための長さを要し、このため従来は、構築するＰＣ橋の長さ方向に、片持式の橋桁の基端を構成する初期張出部を一体に形成している。
【０００４】
このような柱頭部を形成する方法として、従来は、図１３に示すように、先に施工されている橋脚１の上端部である脚頭部１ａの外周に大型のブラケット２を固定し、このブラケット２上に支保工３及び型枠４を組み立て、該型枠４上にコンクリートを打設して両側に初期張出部５ａ，５ａを一体に有する柱頭部５を形成するようにしている（例えば特許文献１）。
【０００５】
このブラケット２に対する支持は、多くの場合、脚頭部１ａに貫通孔を開け、これに挿通したＰＣ鋼材６を、ブラケット２の縦材２ａに貫通させて緊張定着させることによって行なっている。更に、このブラケット２の取り付け作業は、図には示してないが、多くの場合、地上より組み足場を組み上げ、その上で行なっている。
【特許文献１】特開平６−２３５２０８号公報
【発明の開示】
【発明が解決しようとする課題】
【０００６】
上述した従来の張り出し架設によるＰＣ橋の柱頭部施工方法では、大型のブラケットを脚頭部に固定するものであるため、その架設から解体までの作業工程が多く、施工に長時間を要する。また、ブラケットの取り付けのために、脚頭部にＰＣ鋼材挿通用の貫通孔を開けるため、ブラケット解体後に貫通孔の補修が必要である。更に、ブラケットの解体作業は高所作業であるために危険を伴うなどの問題があった。
【０００７】
本発明はこのような従来の問題に鑑み、ＰＣ橋における柱頭部施工に際し、従来使用されている大型のブラケットを不要とし、少ない工程で、短期間に、かつより安全に施工できる方法の提供を目的としてなされたものである。
【課題を解決するための手段】
【０００８】
上述の如き従来の問題を解決し、所期の目的を達成するための請求項１に記載の発明の特徴は、下床版と、該下床版から立ち上げた複数のウエブと、該ウエブの上側に支持させた上床版とをもって断面が箱形をした桁部を片持式に順次延長することによって構築されるＰＣ橋の構築に際し、前記桁部の基端部分を構成する初期張出部を一体に有する柱頭部を場所打ちコンクリートによって形成するＰＣ橋における柱頭部施工方法において、  先に構築されている橋脚上端の脚頭部上端面に、前記柱頭部の両初期張出部の下床版に埋設される高さ位置に型鋼材を固定し、該型鋼材に前記下床版を形成するための下床版形成用型枠を吊持ちさせ、該下床版形成用型枠内に場所打ちコンクリートを打設して前記下床版を形成し、該下床版に支持させてウエブ形成用型枠を組み、該ウエブ形成用型枠に場所打ちコンクリートを打設して複数のウエブを形成し、該ウエブと前記下床版とに支持させて前記上床版を形成するための上床版形成用型枠を組み、該上床版形成用型枠内に場所打ちコンクリートを打設して前記上床版を前記ウエブと一体化させた状態に形成することを特徴としてなるＰＣ橋における柱頭部施工方法にある。
【０００９】
請求項２に記載の発明の特徴は、前記請求項１の構成に加え、前記上床版の形成を、ウエブ間に跨る内側上床版部と、ウエブの橋桁幅方向外側に張出した張出上床版部とに分け、前記内側上床版部を先に形成することにある。
【００１０】
請求項３記載の発明の特徴は、前記請求項１又は２何れか１の請求項の構成に加え、前記上床版形成用の型枠は、該上床版の橋桁幅方向側の張出部用型枠を前記ウエブの外面に支持させたブラケットに支持させることにある。
【発明の効果】
【００１１】
本発明においては、先に構築されている橋脚上端の脚頭部上端面に、前記柱頭部の両初期張出部の下床版に埋設される高さ位置に型鋼材を固定し、該型鋼材に前記下床版を形成するための下床版形成用型枠を吊持ちさせ、該下床版形成用型枠内に場所打ちコンクリートを打設して前記下床版を形成し、該下床版に支持させてウエブ形成用型枠を組み、該ウエブ形成用型枠に場所打ちコンクリートを打設して複数のウエブを形成し、該ウエブと前記下床版とに支持させて前記上床版を形成するための上床版形成用型枠を組み、該上床版形成用型枠内に場所打ちコンクリートを打設して前記上床版を前記ウエブと一体化させた状態に形成することにより、
下床版の構築に際しての型枠や足場は、脚頭部上面に支持させた型鋼材に支持され、更にコンクリートが打設された後の下床版の重量を含めて型鋼材がその重量を受け持ち、更にその上部のウエブ及び上床版の形成のための型枠や支保工は、先に形成された、型鋼材を含む下床版によって受け持ち、従来のように、大型のブラケットを組み立てる必要が無く、その組み立て及び撤去の作業不要となり、コストが削減されるとともに、工期が短縮できる。
また、下床版に補強鋼材として型鋼材を使用することにより、下床版のコンクリート打設後の全体重量が、この型鋼材によって支持できると同時に、下床版形成後は、型鋼材を補強鋼材としたＳＲＣ構造となるため，その後に形成されるウエブや上床版及びそれらの形成に必要な足場や型枠などの全重量を支える構造とすることが容易となる。
【００１２】
また、前記上床版の形成を、ウエブ間に跨る内側上床版部と、ウエブの橋桁幅方向外側に張出した張出上床版部とに分け、前記内側上床版部を先に形成することにより、ワーゲンの設置作業を張り出し床版部の完成を待たずに進めることができ、更には、柱頭部から延長して形成する次の張り出し区画の作業足場や型枠組み立て作業を、柱頭部の張り出し床版部の形成作業と並行して行なうことができ、工期が短縮できる。
【００１３】
更に、前記上床版形成用の型枠は、該上床版の橋桁幅方向側の張出部用型枠を前記ウエブの外面に支持させたブラケットに支持させるようにすることにより、使用するブラケットは簡易なものでよくなり、しかもその取り付け作業は構築されたウエブや内床版部上から行なうことができ、工事が簡易な設備によって容易かつ短期間に行なうことができる。
【発明を実施するための最良の形態】
【００１４】
次に本発明の実施の形態を図面に示した実施例に基づいて説明する。図１、図２は、本発明に係る柱頭部施工方法によって形成された柱頭部構造を示している。同図において符号１０は張り出し架設される橋桁の基端部を構成する柱頭部であり、１１はこの柱頭部１０を支持している橋脚の脚頭部を示している。柱頭部１０は、脚頭部１１の真上部分に形成された中実なコンクリート製の柱頭本体部１２と、この柱頭本体部１２の橋桁長さ方向（橋軸方向）の両端に張り出した初期張出部１３，１３とから構成されている。
【００１５】
また、柱頭部１０の両初期張出部１３は、断面が箱型に形成されており、下床版１４、該下床版１４の両側部に一体に立ち上げた形状のウエブ１５，１５及び両ウエブ１５，１５上に一体に掛け渡した配置の上床版１６とから構成され、上床版１６は、ウエブ１５，１５上間に掛け渡した配置の内床版部１６ａと、該ウエブ１５，１５上部から橋桁幅方向の両側に張り出した張り出し床版部１６ｂ，１６ｂとから構成されている。
【００１６】
この柱頭部１０は、図には示してないが、補強鋼材としての鉄筋及びプレストレス付与用のＰＣ緊張材が埋設されている。これらの鋼材の他に、柱頭部１０の底部、即ち両下床版部１４，１４の中央高さ部分及び、これに対応する柱頭本体部１２の底部に連続してＨ型鋼材からなる型鋼材１７が複数平行に埋設されている。
【００１７】
次に、上述した柱頭部１０の構築方法について説明する。
【００１８】
先ず、図３に示すように、脚頭部１１の上端上に、前述した型鋼材１７を設置する。この型鋼材１７は、その総使用本数によって、前述した初期張出部１３，１３の前重量及びこれを形成する際の後述する型枠や支保工の全重量を支える役目を果たさせるものであり、形成する柱頭部１０の大きさによって、使用する型鋼材１７の強度及び本数を設定する。
【００１９】
型鋼材１７の設置に際しては図３、図９に示すように、脚頭部１１の上面から所定の間隔をもたせるために、脚頭部上面に所要数のコンクリートブロック２０を置き、その上に型鋼材１７の中央部分を支持させる。また、脚頭部１１の上面からはアンカー２１を突出させておき、このアンカー２１に型鋼材１７の中央部分を固定する。アンカー２１としては、脚頭部１１の施工の際に埋設したアンカーボルトであっても良く、基端側を脚頭部１１内に定着させたＰＣ緊張材であっても良い。このアンカー２１の上端側を型鋼材１７に貫通させ、ナット２２を螺嵌することによって固定する。
【００２０】
このようにして橋桁長さ方向に向けた型鋼材１７を複数本互いに平行に設置した後、この各型鋼１７に対し、図４、図１０に示すように、吊り材２３により下床版整形用型枠である下床版底面型枠２４を吊り下げ支持させる。吊り材２３としてはボルトを使用し、これを型鋼材１７のフランジに貫通させて垂下させ、その下端側を下床版底面型枠２４に貫通させてナット止めすることが好ましいが、その他、型鋼材１７に対して型枠２４が脱落しないように吊り持ちさせることができるものであれば良い。
【００２１】
下床版底面型枠２４の橋桁幅方向側の両縁部延長方向には、図５、図１１に示すように、これに支持させて下床版側部足場２５，２５を突設し、両初期張出部１３，１３の互いに対応する下床版側部足場２５，２５間には、図５に示すように柱頭本体部側部足場２６を設置する。この足場２６は、地上から組み上げた組み足場上に支持させても良く、前記下床版側部足場２５，２５に支持させて設置しても良い。
【００２２】
このようにして下床版側部足場２５及び柱頭本体部側部足場２６を設置した後、それらの上に、下床版形成用型枠を構成する下床版側面型枠２７と、柱頭本体部形成用型枠２８を組み立てる。
【００２３】
このようにして組み立てた型枠２４，２７，２８内に、必要な配筋を行なった後、コンクリートを打設して下床版１４（図６に示す）及びそれと略同厚さの柱頭本体部１２の底部分を形成する。
【００２４】
次いで、図６、図１２に示すように、前工程で形成された下床版１４及び前記下床版側部足場２５，２６上にウエブ形成用型枠３０及び柱頭本体部１２の上部を形成する柱頭本体部形成用型枠３１を組み立て、その内部に必要な配筋を施した後、コンクリートを打設してウエブ１５及び柱頭本体部１２の残りの部分を形成する。
【００２５】
次いで、上床版１６を形成する工程に移る。この工程では、図７、図８に示すように、上床版１６を内床版部１６ａと、その外側の張り出し床版部１６ｂ，１６ｂとを形成するものであり、内床版部１６ａを形成するために、下床版１４上に支保工３５を立て、その上に内床版部形成型枠３６を組み立てる。
【００２６】
また、張り出し床版部１６ｂ，１６ｂ形成するために、ウエブ１５及び柱頭本体部１２の外側面に簡易ブラケット４０を固定し、該ブラケット４０上に支保工４１を組み立て、その上に支持させて張り出し床版部形成用型枠４２組み立てる。そして、上記内床版型枠３６上、張り出し床版部形成用型枠４２及び、柱頭本体部１２上にコンクリートを打設して上床版１６を形成する。
【００２７】
尚、この上床版１６の形成は、内床版型枠３６の設置作業を先に行って内床版部１６ａを先に形成し、その後、簡易ブラケット４０の設置作業を行い、然る後、張り出し床版形部成型枠４２を組み立て、先に形成された内床版１６ａの両側部を延長させるように張り出し床版部１６ｂの形成作業を行うことが好ましい。
【００２８】
このようにして、内床版部１６ａの形成作業を先に行なうことで、ワーゲンの設置作業を張り出し床版部の完成を待たずに進めることができ、更には、柱頭部１０の初期張出部１３，１３の延長方向に張り出し形成する次の張り出し区画の作業足場や型枠組み立て作業を、張り出し床版部１６ｂ，１６ｂの形成のためのブラケット取り付け作業以後の作業と並行して行なうことができ、工期が短縮できる。
【００２９】
尚、工期に余裕がある場合には、内床版部１６ａと張り出し床版部１６ｂ，１６ｂの型枠組み立てが終了した後、それらに対するコンクリート打設作業を同時に行なっても良い。
【００３０】
また、上述のように、型鋼材１７を脚頭部１１に支持させ、これに下床版形成型枠を吊り持ちさせて下床版を形成し、これによって先に形成された下床版にウエブ１５及び上床版１６及びそれらを形成するためのブラケットや支保工及び型枠等を支持させるようにしていることにより、従来のように、大型のブラケットを組み立てる必要が無くなり、コストが削減されるとともに、工期が短縮できる。
【図面の簡単な説明】
【００３１】
【図１】本発明方法によって形成される柱頭部の一例を示す縦断側面図である。
【図２】同上の縦断正面図である。
【図３】本発明方法の実施例の施工工程を示すもので、脚頭部に型鋼材を設置した状態の縦断側面図である。
【図４】同、型鋼材に下床版底面型枠を吊り下げした状態の縦断側面図である。
【図５】同、下床版底面型枠及び下床版側面型枠を設置した状態の側面図である。
【図６】同、下床版コンクリート打設後、ウエブ形成用型枠及び柱頭本体部形成用型枠を設置した状態の縦断面図である。
【図７】同、上床版形成用型枠を設置した状態の側面図である。
【図８】同上の縦断面図である。
【図９】本実施例における型鋼材固定状態を示す拡大断面図である。
【図１０】同、型鋼材に下床版底面型枠を吊り下げした状態の拡大断面図である。
【図１１】図５におけるＡ−Ａ線断面図である。
【図１２】図６におけるＢ−Ｂ線断面図である。
【図１３】従来の柱頭部形成方法の一例を示す側面図である。
【符号の説明】
【００３２】
１０  柱頭部
１１  脚頭部
１２  柱頭本体部
１３  初期張出部
１４  下床版
１５  ウエブ
１６  上床版
１６ａ  内床版部
１６ｂ  張り出し床版部
１７  型鋼材
２０  コンクリートブロック
２１  アンカー
２２  ナット
２３  吊り材
２４  下床版底面型枠
２５  下床版側部足場
２６  柱頭本体部側部足場
２７  下床版側面型枠
２８  柱頭本体部形成用型枠
３０  ウエブ形成用型枠
３１  柱頭本体部形成用型枠
３５  支保工
３６  内床版型枠
４０  簡易ブラケット
４１  支保工
４２  張り出し床版部形成用型枠
【図１】
2010037725.tif 000003
【図２】
2010037725.tif 000004
【図３】
2010037725.tif 000005
【図４】
2010037725.tif 000006
【図５】
2010037725.tif 000007
【図６】
2010037725.tif 000008
【図７】
2010037725.tif 000009
【図８】
2010037725.tif 000010
【図９】
2010037725.tif 000011
【図１０】
2010037725.tif 000012
【図１１】
2010037725.tif 000013
【図１２】
2010037725.tif 000014
【図１３】
2010037725.tif 000015